(57)【要約】  本発明は、ＣＳＩ端末でＩＭＳドメインを介して受信されたリアルタイムサービスと非リアルタイムサービスに対するＩＭＳ端末の呼要求を処理する方法及び装置を提供する。リアルタイムサービスのためにＣＳ呼と非リアルタイムサービスのためにＩＭＳセッションを使用するために、ＣＳＩ端末は、非リアルタイムサービスのためにＩＭＳセッション応答を送信し、リアルタイムサービスのためにＣＳ呼要求を生成してＩＭＳドメインのＡＳに送る。ＡＳは、ＣＳ呼要求をＩＭＳセッション応答と組み合わせてＩＭＳ端末に応答して送信し、それによって呼設定を完了する。上記組合せのために、ＡＳは、ＣＳＩ端末に自分のＭＳＩＳＤＮを伝送し、ＣＳ呼要求及びＩＭＳセッション応答に含まれたＭＳＩＳＤＮから、２つのメッセージがＩＭＳ端末の呼要求に関連したことを確認する。
2009524342.tif 000002
【特許請求の範囲】
【請求項１】
回線交換(ＣＳ)呼とインターネットプロトコルマルチメディアサブシステム(ＩＭＳ）セッションを同時に使用可能なＣＳＩ端末が、ＩＭＳセッションのみが使用可能なＩＭＳ端末から受信されたリアルタイムサービスのための要求を含む呼要求を処理する方法であって、
ＩＭＳドメインのアプリケーションサーバを介してリアルタイムサービスと非リアルタイムサービスのための呼要求を含むＩＮＶＩＴＥメッセージをＩＭＳ端末から受信するステップと、
前記ＣＳＩ端末が、前記ＩＮＶＩＴＥメッセージに応答して前記リアルタイムサービスのために回線交換呼を使用するように選択する場合に、前記リアルタイムサービスのための回線交換呼要求メッセージを生成して前記アプリケーションサーバに伝送し、前記非リアルタイムサービスのためのＩＭＳセッション応答メッセージを生成して前記アプリケーションサーバに伝送するステップと、
を有することを特徴とする方法。
【請求項２】
前記ＣＳＩ端末が、前記ＩＮＶＩＴＥメッセージに応答して前記リアルタイムサービスのために前記回線交換呼を使用しないように選択される場合に、前記呼要求に対して前記リアルタイムサービス及び前記非リアルタイムサービスのためのＩＭＳセッション応答メッセージを生成して前記アプリケーションサーバに伝送するステップをさらに有することを特徴とする請求項１に記載の方法。
【請求項３】
前記回線交換呼要求メッセージは、あて先情報として前記アプリケーションサーバの電話番号を含み、前記ＣＳＩ端末が接続されている回線交換ドメインを介して前記アプリケーションサーバに伝達されることを特徴とする請求項１に記載の方法。
【請求項４】
前記アプリケーションサーバの電話番号は、前記ＩＭＳドメインに前記ＣＳＩ端末の登録中に前記アプリケーションサーバから前記ＣＳＩ端末に受信されることを特徴とする請求項３に記載の方法。
【請求項５】
前記ＩＮＶＩＴＥメッセージは、前記アプリケーションサーバの電話番号を含むことを特徴とする請求項３に記載の方法。
【請求項６】
前記回線交換呼要求メッセージは、前記回線交換呼要求メッセージが前記ＩＮＶＩＴＥメッセージに関連していることを前記アプリケーションサーバが識別できるように、前記ＩＮＶＩＴＥメッセージから抽出された、前記アプリケーションサーバにより生成された疑似番号を含むことを特徴とする請求項１に記載の方法。
【請求項７】
前記ＩＭＳセッション応答メッセージは、前記回線交換呼が前記リアルタイムサービスのために要求されることを示すインジケータを含むことを特徴とする請求項１に記載の方法。
【請求項８】
前記ＩＭＳセッション応答メッセージに含まれたパラメータの中で、前記リアルタイムサービス関連部分を非活性化するステップをさらに有することを特徴とする 請求項１に記載の方法。
【請求項９】
前記選択するステップは、前記ＣＳＩ端末が位置しているネットワークで回線交換ドメインに接続可能であるか、及び前記回線交換ドメインに対する前記ＣＳＩ端末の選好度のうち少なくとも一つを考慮して遂行されることを特徴とする請求項１に記載の方法。
【請求項１０】
前記アプリケーションサーバから前記回線交換呼要求メッセージに対応する接続メッセージを受信すると、前記非リアルタイムサービスのためのＩＭＳセッションの設定完了を示す応答メッセージを前記アプリケーションサーバを介して前記ＩＭＳ端末に伝送するステップをさらに有することを特徴とする請求項１に記載の方法。
【請求項１１】
回線交換(ＣＳ)呼とインターネットプロトコルマルチメディアサブシステム(ＩＭＳ）セッションを同時に使用可能なＣＳＩ端末の呼設定を制御するアプリケーションサーバが、ＩＭＳセッションのみが使用可能なＩＭＳ端末から受信されたリアルタイムサービスのための要求を含む呼要求を処理する方法であって、
ＩＭＳドメインを介して、リアルタイムサービスと非リアルタイムサービスのための呼要求を含むＩＮＶＩＴＥメッセージをＩＭＳ端末から受信して前記ＣＳＩ端末に伝送するステップと、
前記ＣＳＩ端末から前記非リアルタイムサービスのためのＩＭＳセッション応答メッセージを受信するステップと、
ＩＭＳセッション応答メッセージは、ＣＳＩ端末がリアルタイムサービスのための回線交換呼を要求することを示すインジケータを含む場合に、前記リアルタイムサービスのための回線交換呼要求メッセージを前記ＣＳＩ端末から受信し、前記ＩＭＳセッション応答メッセージと前記回線交換呼要求メッセージとを組み合わせることによって応答メッセージを生成し、前記呼要求に対する応答メッセージを前記ＩＭＳ端末に伝送するステップと、
を有することを特徴とする方法。
【請求項１２】
前記回線交換呼要求メッセージは、あて先情報として前記アプリケーションサーバの電話番号を含み、前記ＣＳＩ端末が接続している回線交換ドメインを介して前記アプリケーションサーバに受信されることを特徴とする請求項１１に記載の方法。
【請求項１３】
前記ＩＭＳドメインに前記ＣＳＩ端末の登録中に、前記アプリケーションサーバの電話番号を前記ＣＳＩ端末に伝送するステップをさらに有することを特徴とする請求項１２に記載の方法。
【請求項１４】
前記ＩＮＶＩＴＥメッセージに前記アプリケーションサーバの電話番号を含むステップをさらに有することを特徴とする請求項１２に記載の方法。
【請求項１５】
前記回線交換呼要求メッセージに、前記アプリケーションサーバによって生成された疑似番号を含むステップをさらに有することを特徴とする請求項１１に記載の方法。
【請求項１６】
前記回線交換呼要求メッセージに含まれた前記アプリケーションサーバの電話番号及び前記アプリケーションサーバによって生成された疑似番号のうち少なくとも一つを確認することによって、前記回線交換呼要求メッセージを前記ＩＭＳセッション応答メッセージと組み合わせるように判定するステップをさらに有することを特徴とする請求項１１に記載の方法。
【請求項１７】
呼要求を処理する装置であって、
回線交換(ＣＳ)呼とインターネットプロトコルマルチメディアサブシステム(ＩＭＳ）セッションを同時に使用可能なＣＳＩ端末と、
ＩＭＳセッションのみが使用可能なＩＭＳ端末と、
前記ＣＳＩ端末のための呼設定を制御するＩＭＳドメイン内のアプリケーションサーバと、を含み、
前記ＣＳＩ端末は、
前記アプリケーションサーバを介してリアルタイムサービス及び非リアルタイムサービスのための呼要求を含むＩＮＶＩＴＥメッセージを前記ＩＭＳ端末から受信し、前記ＩＮＶＩＴＥメッセージに応答して前記リアルタイムサービスのために回線交換呼を使用するように選択する場合に、前記リアルタイムサービスのための回線交換呼要求メッセージを生成して前記アプリケーションサーバに伝送し、前記非リアルタイムサービスのためのＩＭＳセッション応答メッセージを生成して前記アプリケーションサーバに伝送することを特徴とする装置。
【請求項１８】
前記ＣＳＩ端末は、前記ＩＮＶＩＴＥメッセージに応答して前記リアルタイムサービスのために回線交換呼を使用しないように選択する場合に、前記リアルタイムサービス及び前記非リアルタイムサービスのために前記呼要求に対するＩＭＳセッション応答メッセージを生成して前記アプリケーションサーバに伝送することを特徴とする請求項１７に記載の装置。
【請求項１９】
前記回線交換呼要求メッセージは、あて先情報として前記アプリケーションサーバの電話番号を含み、前記ＣＳＩ端末が接続している回線交換ドメインを介して前記アプリケーションサーバに伝送することを特徴とする請求項１７に記載の装置。
【請求項２０】
前記ＣＳＩ端末は、前記ＩＭＳドメインにＣＳＩ端末の登録中に前記アプリケーションサーバから前記アプリケーションサーバの電話番号を受信することを特徴とする請求項１９に記載の装置。
【請求項２１】
前記ＩＮＶＩＴＥメッセージは前記アプリケーションサーバの電話番号を含むことを特徴とする請求項１９に記載の装置。
【請求項２２】
前記回線交換呼要求メッセージは、前記回線交換呼要求メッセージが前記ＩＮＶＩＴＥメッセージに関連することを前記アプリケーションサーバが識別できるように、前記ＩＮＶＩＴＥメッセージから抽出された、前記アプリケーションサーバにより生成された疑似番号を含むことを特徴とする請求項１７に記載の装置。
【請求項２３】
前記ＩＭＳセッション応答メッセージは、前記回線交換呼が前記リアルタイムサービスのために要求されることを示すインジケータを含むことを特徴とする請求項１７に記載の装置。
【請求項２４】
前記ＣＳＩ端末は、前記ＩＭＳセッション応答メッセージに含まれたパラメータの中で前記リアルタイムサービス関連部分を非活性化することを特徴とする請求項１７に記載の装置。
【請求項２５】
前記選択するステップは、前記ＣＳＩ端末の位置しているネットワークで回線交換ドメインに接続可能であるか、及び前記回線交換ドメインに対する前記ＣＳＩ端末の選好度のうち少なくとも一つを考慮して遂行されることを特徴とする請求項１７に記載の装置。
【請求項２６】
前記アプリケーションサーバから前記回線交換呼要求メッセージに対応する接続メッセージを受信すると、前記ＣＳＩ端末は、前記アプリケーションサーバを通じて、前記非リアルタイムサービスのためのＩＭＳセッションの設定完了を示す応答メッセージを前記ＩＭＳ端末に伝送することを特徴とする請求項１７に記載の装置。
【請求項２７】
前記アプリケーションサーバは、前記ＣＳＩ端末から受信された前記ＩＭＳセッション応答メッセージが前記リアルタイムサービスのために前記ＣＳＩ端末から回線交換呼が要求されることを示すインジケータを含むか否かを判定し、
前記ＩＭＳセッション応答メッセージが前記インジケータを含む場合には、前記ＣＳＩ端末から受信された前記回線交換呼要求メッセージを前記ＩＭＳセッション応答メッセージと組み合わせることによって応答メッセージを生成して前記ＩＭＳ端末に伝送することを特徴とする請求項１７に記載の装置。
【請求項２８】
前記アプリケーションサーバは、前記回線交換呼要求メッセージに含まれた前記アプリケーションサーバの電話番号及び前記アプリケーションサーバによって生成された疑似番号のうち少なくとも一つを確認することによって、前記回線交換呼要求メッセージを前記ＩＭＳセッション応答メッセージと組み合わせるように判定することを特徴とする請求項１７に記載の装置。
【発明の詳細な説明】
【技術分野】
【０００１】
本発明は、回線交換(Circuit  Switched：以下、“ＣＳ”と称する)呼とインターネットプロトコルマルチメディアサブシステム(Internet  protocol  Multimedia  Subsystem：以下、“ＩＭＳ”と称する)セッションの組み合わせ(Combined  CS  call  and  IMS  session：以下“ＣＳＩ”と称する）のインターワーキング(interworking)に関するもので、特にＣＳ呼(call)とＩＭＳセッションを同時に結合可能な端末(ＣＳＩ端末)で、リアルタイム音声通話又は画像通話のためにＩＭＳセッションを使用する端末(ＩＭＳ端末)から受信されたリアルタイムサービスのための要求を含む呼要求を処理する方法及び装置に関する。
【背景技術】
【０００２】
従来の音声サービス及びリアルタイムサービスのために設計された回線交換(ＣＳ)方式は、一側と他側との間にＣＳ基盤の固定された通信経路(route)を構成する。ＩＭＳ方式は、インターネットプロトコル(Internet  Protocol：以下、“ＩＰ”と称する）パケット基盤の固定されない通信経路を構成し、それによって伝送効率を増加させ、セキュリティを保証する。そのため、ＩＭＳ方式は、データサービス、メッセージング(messaging)、及びファイル伝送に適合する。ＩＭＳ方式は、単純な一対一通話だけでなく複数のユーザーが参加する接続を提供する。メッセージ及びユーザートラフィックは、ＣＳ方式ではＣＳ呼により送信され、ＩＭＳ方式ではＩＭＳセッションにより送信される。
【０００３】
ＣＳとＩＭＳサービスの組合せ、すなわちＣＳＩ方式は、ＣＳ呼による音声伝送のようなリアルタイムサービス、及びＩＭＳセッションによるメッセージング、ファイル伝送のような向上したパケット交換(Packet-Switched：以下、“ＰＳ”と称する)サービスを提供する。ＣＳＩ使用可能な端末、すなわちＣＳＩ端末は、リアルタイム(real-time)サービスのためのＣＳ呼と同時に非リアルタイムＰＳサービスのためのＩＭＳセッションを使用することができる。
【０００４】
図１は、従来技術によるＣＳＩを支援する移動通信ネットワークの構成を示す。ＧＳＭ(Global  System  for  Mobile  Communications）及びＧＰＲＳ(General  Packet  Radio  Services)に基づいたＵＭＴＳ(Universal  Mobile  Telecommunication  Service)移動通信ネットワークは、ＣＳＩサービスを支援することによって示す。
図１を参照すると、ＣＳＩを支援する移動通信ネットワークは、無線アクセスネットワーク(Radio  Access  Network：以下、“ＲＡＮ”と称する)１０４とコアネットワーク(Core  Network：以下、“ＣＮ”と称する)１０６を含む。ＲＡＮ１０４は、ＣＮ１０６にユーザー端末(User  Equipment：以下、“端末”又は“ＵＥ”と称する)１０２を接続可能にする。以下、“ＵＥ”と“端末”は、同じ意味で使用される。無線アクセス技術によるＲＡＮ１０４の構成は、既に公知されたものであるため、ここではその詳細な説明を省略する。
【０００５】
ＣＮ１０６は、ＣＳドメイン１１４、ＰＳドメイン１０８、及びＩＭＳドメイン１２２を含む。ＣＳドメイン１１４は、ＣＳ呼を支援するエンティティ(entities）を有する。代表的なエンティティは、ＭＳＣ(Mobile  Switching  Center)１２０及びＭＧＷ(Media  Gateway)１１６，１１８である。ＭＳＣ１２０は、ＲＡＮ１０４内の基地局(Ｎｏｄｅ  Ｂ)の発着信を処理し、基地局が効率的に動作するように、中央制御を提供する。ＭＧＷ１１６，１１８は、ベアラトラフィックと制御トラフィックを支援するゲートウェイである。
【０００６】
ＰＳドメイン１０８は、パケット基盤のサービスを支援し、ＳＧＳＮ(Serving  GPRS  Support  Node)１１０とＧＧＳＮ(Gateway  GPRS  Support  Node)１１２のようなネットワークノードを含む。ＳＧＳＮ１１０は、各端末の位置に関する情報を管理し、セキュリティ関連機能とアクセス制御を遂行する。ＧＧＳＮ１１２は、ＳＧＳＮ１１０とＰＳＴＮ(Public  Switched  Telephone  Network)、ＩＳＤＮ(Integrated  Service  Data  Network)、ＰＤＮ(Packet  Data  Network）のような外部ネットワーク１３０との間の無線ゲートウェイ役割をするＧＰＲＳネットワークのエンティティである。端末１０２は、ＧＧＳＮ１１２を通じて外部ネットワーク１３０にアクセスすることができる。
【０００７】
ＩＭＳドメイン１２２は、ＩＭＳセッションを支援するエンティティを含む。特に、これらエンティティは、Ｓ-ＣＳＣＦ(Serving-Call  Session  Control  Function)１２４、ＡＳ(Application  Server)１２６、及びＭＧＣＦ/ＭＧＷ(Media  Gateway  Control  Function/Media  Gateway)１２８を含む。Ｓ-ＣＳＣＦ１２４は、ＩＭＳセッションを設定し、端末１０２から受信されたＳＩＰ(Session  Initiation  Protocol)メッセージを処理する。端末１０２が要求するサービスを提供するために、Ｓ-ＣＳＣＦ１２４は、ＩＭＳドメイン１２２内の他のエンティティにＳＩＰメッセージを送信するため、ＩＭＳセッションが完成される。ＡＳ１２６は、電子メール(e-mail)又はＰｏＣ(Push  to  talk  over  Cellular)を含み、ユーザーに多様なアプリケーションを提供するためのエンティティである。ＭＧＣＦ/ＭＧＷ１２８は、ＩＭＳユーザーとＣＳユーザーとの間の通信を可能にするネットワークノードであり、ＭＧＣＦとＭＧＷを含む。ＩＭＳネットワークとレガシー(legacy)ネットワークとの間、例えばＰＳＴＮとＣＳドメイン１１４との間のインタワーキングのために、ＭＧＣＦは信号変換を担当し、ＭＧＷはメディア変換を担当する。
【０００８】
上述したエンティティの他にも、各ドメインに存在し、上記ドメインのエンティティはＣＳＩサービスにもかかわることができる。
【０００９】
図２は、従来のＣＳＩサービスによるＣＳＩ端末間の制御信号のフローを示す。第１のＣＳＩ端末２０４及び第２のＣＳＩ端末２１４は、各々第１のネットワーク２０２、第２のネットワーク２１２に接続される。第１のネットワーク２０２は、第１のＰＳドメイン２０６、第１のＣＳドメイン２０８、及び第１のＩＭＳドメイン２１０を含む。第２のネットワーク２１２は、第２のＰＳドメイン２１６、第２のＣＳドメイン２１８、及び第２のＩＭＳドメイン２２０を含む。
【００１０】
第１のＣＳＩ端末と第２のＣＳＩ端末との間の音声通話のためのＣＳ呼に関連した制御信号２２４は、第１のＣＳドメインと第２のＣＳドメインを介して送信される。また、マルチメディアサービスのためのＩＭＳセッションに関連した制御信号２２２は、第１のＰＳドメイン、第１のＩＭＳドメイン、第２のＩＭＳドメイン、第２のＰＳドメインを介して送信される。ＩＭＳセッションは、ＳＩＰによって制御されることができる。ＳＩＰは、ＩＥＴＦ(Internet Engineering Task Force) ＭＭＵＳＩＣ(Multiparty Multimedia Session Control)ワーキンググループによってＨ.３２３の代案として開発されたプロトコルである。ＳＩＰは、ＩＰネットワークを介して音声及びマルチメディア呼の設定を知らせるプラットフォームを備えている。
【００１１】
通信に参加する２つの端末がＣＳＩ支援可能であると、制御フローは、各該当ドメイン別に実行される。しかしながら、２つの端末がＣＳＩ可能でないと、例えば２つの端末のうちいずれか一つのみがＩＭＳ可能であると、上記の制御フローは実行できない。また、ＣＳＩ端末が、ＣＳ呼が使用できない領域、例えばＰＳサービスのみが可能な領域に移動すると、ＣＳＩ端末は、ＣＳＩ可能であるにもかかわらず、リアルタイムサービスをＩＭＳセッションでリアルタイムサービスを遂行しなければならない。したがって、ＣＳＩ端末が位置したネットワークを考慮して、ＣＳＩ端末とＩＭＳ端末との間の通信を可能にするための技術が要求される。
【発明の開示】
【発明が解決しようとする課題】
【００１２】
したがって、上記した従来技術の問題点を解決するために、本発明の目的は、ＣＳ呼とＩＭＳセッションを同時に支援可能で、かつリアルタイム音声又は画像通話サービスのためにＣＳ呼を好む端末(ＣＳＩ端末）と、ＣＳが可能でなく、または可能であってもリアルタイムサービスのためにＩＭＳセッションを好む端末(ＩＭＳ端末)との間で、リアルタイムサービスと非リアルタイムサービスを提供するための制御信号を交換する方法及び装置を提供することにある。
【００１３】
また、本発明の目的は、ＣＳＩ端末がリアルタイム音声又は画像通話サービスのためにＣＳ呼を好むにもかかわらず、ＣＳドメインが使用できないネットワークに位置した場合に、ＩＭＳ端末のようにＩＭＳセッションによってＣＳＩ端末にリアルタイムサービスを提供する方法及び装置を提供することにある。
【課題を解決するための手段】
【００１４】
上記のような目的を達成するために、本発明の一態様によれば、回線交換(ＣＳ)呼とインターネットプロトコルマルチメディアサブシステム(ＩＭＳ）セッションを同時に使用可能なＣＳＩ(Combined CS call and IMS session)端末が、ＩＭＳセッションのみが使用可能なＩＭＳ端末から受信されたリアルタイムサービスのための要求を含む呼要求を処理する方法であって、ＩＭＳドメインのアプリケーションサーバを介してリアルタイムサービスと非リアルタイムサービスのための呼要求を含むＩＮＶＩＴＥメッセージをＩＭＳ端末から受信するステップと、ＣＳＩ端末が、ＩＮＶＩＴＥメッセージに応答してリアルタイムサービスのために回線交換呼を使用するように選択する場合に、リアルタイムサービスのための回線交換呼要求メッセージを生成してアプリケーションサーバに伝送し、非リアルタイムサービスのためのＩＭＳセッション応答メッセージを生成してアプリケーションサーバに伝送するステップとを有することを特徴とする。
【００１５】
本発明の他の態様によれば、ＣＳ呼とＩＭＳセッションを同時に使用可能なＣＳＩ端末の呼設定を制御するアプリケーションサーバが、ＩＭＳセッションのみが使用可能なＩＭＳ端末から受信されたリアルタイムサービスのための要求を含む呼要求を処理する方法であって、ＩＭＳドメインを介して、リアルタイムサービスと非リアルタイムサービスのための呼要求を含むＩＮＶＩＴＥメッセージをＩＭＳ端末から受信してＣＳＩ端末に伝送するステップと、ＣＳＩ端末から非リアルタイムサービスのためのＩＭＳセッション応答メッセージを受信するステップと、ＩＭＳセッション応答メッセージは、ＣＳＩ端末がリアルタイムサービスのための回線交換呼を要求することを示すインジケータを含む場合に、リアルタイムサービスのための回線交換呼要求メッセージをＣＳＩ端末から受信し、ＩＭＳセッション応答メッセージと回線交換呼要求メッセージとを組み合わせることによって応答メッセージを生成し、呼要求に対する応答メッセージをＩＭＳ端末に伝送するステップとを有することを特徴とする。
【００１６】
さらに、本発明の他の態様によれば、呼要求を処理する装置であって、ＣＳ呼とＩＭＳセッションを同時に使用可能なＣＳＩ端末と、ＩＭＳセッションのみが使用可能なＩＭＳ端末と、ＣＳＩ端末のための呼設定を制御するＩＭＳドメイン内のアプリケーションサーバとを含み、ＣＳＩ端末は、アプリケーションサーバを介してリアルタイムサービス及び非リアルタイムサービスのための呼要求を含むＩＮＶＩＴＥメッセージをＩＭＳ端末から受信し、ＩＮＶＩＴＥメッセージに応答してリアルタイムサービスのために回線交換呼を使用するように選択する場合に、リアルタイムサービスのための回線交換呼要求メッセージを生成してアプリケーションサーバに伝送し、非リアルタイムサービスのためのＩＭＳセッション応答メッセージを生成してアプリケーションサーバに伝送することを特徴とする。
【発明の効果】
【００１７】
本発明は、ＩＭＳドメインを介してリアルタイムサービスに対する呼要求を含むＩＭＳ端末の呼要求を受信すると、ＣＳＩ端末は、リアルタイムサービスに対するＣＳ呼をＣＳドメインを介して効果的に処理することができる。ＣＳＩ端末が状況によってＣＳドメインを使用するか否か判定するため、ＣＳドメインが使用できない特定のネットワークでもＩＭＳ端末と効果的に通信することができる。
【発明を実施するための最良の形態】
【００１８】
以下、本発明の望ましい実施形態を添付の図面を参照して詳細に説明する。
【００１９】
下記に、本発明の実施形態において、本発明の範囲及び精神を外れない限り、多様な変形が可能であることは、当該技術分野における通常の知識を有する者には明らかである。また、本発明に関連した公知の機能または構成に関する具体的な説明が本発明の要旨を不明にすると判断された場合に、その詳細な説明を省略する。
【００２０】
本発明は、音声通話及びマルチメディアサービスのために回線交換(ＣＳ)呼を使用すると同時にマルチメディアサービスのためにＩＭＳセッションが使用可能なＣＳＩ端末と、ＣＳ呼を支援できなく、あるいは音声通話とマルチメディアサービスのためにＩＭＳセッションを好むＩＭＳ端末との間の通信を提供する。ここで、ＩＭＳ端末は、ＶｏＩＰ(Voice over IP)によって音声通話を行う。
【００２１】
図３は、本発明により、ＣＳＩ端末がリアルタイムサービスをＩＭＳドメインを介して受信する場合に、ＣＳＩ端末とＩＭＳ端末との間の制御信号のフローを示す。ＣＳＩ端末３０４が位置した第１のネットワーク３０２は、ＣＳドメイン３０８、第１のＰＳドメイン３０６、及び第１のＩＭＳドメイン３１２を含む。ＩＭＳ端末３１６の位置した第２のネットワーク３１４は、第２のＩＭＳドメイン３２０及びＩＰ-ＣＡＮ(Connectivity  Access  Network)３１８を含む。ＩＰ-ＣＡＮ３１８は、ＩＭＳ加入者がＰＳドメイン又はＩＭＳドメインにアクセス可能にするネットワークである。２つの端末３０４，３１６間のリアルタイムサービスと非リアルタイムサービスを組み合わせたＩＭＳセッション(以下、“組合せＩＭＳセッション”と称する)のために、制御信号は、第１のネットワーク３０２では第１のＰＳドメインと第１のＩＭＳドメインを通過する経路３２４を通じて伝達され、第２のネットワークでは第２のＩＭＳドメインを通過する経路３２２を通じて伝達される。
【００２２】
図４は、本発明により、ＣＳＩ端末がＣＳドメインを介してリアルタイムサービスを受信する場合に、ＣＳＩ端末とＩＭＳ端末との間の制御信号のフローを示す。２つの端末４０４，４１６間のリアルタイムサービスをＣＳ呼により提供するために、制御信号は、第１のネットワーク４０２ではＣＳドメイン４０８と第１のＩＭＳドメイン４１０を通過する経路４２６を通じて伝達される。制御信号は、ＩＭＳセッションによって非リアルタイムサービスを提供するために、第１のＰＳドメイン４０６と第１及び第２のＩＭＳドメイン４１０，４２０を通過する経路４２２を通じて伝達される。ＣＳＩ端末４０４の制御信号は、第１のＰＳドメイン４０６を通じる経路４２４とＣＳドメイン４０８を通じる経路４２６に分かれて流れるが、ＩＭＳ端末４１６の制御信号は、組合せＩＭＳセッションに関連したＳＩＰメッセージによって経路４２２を通じて流れる。
【００２３】
ＣＳＩ端末４０４は、リアルタイムサービス又はリアルタイムと非リアルタイムサービスとを組合せたサービス(簡略に、“組合せサービス”とする)のための呼を開始する場合には何らの問題がない。すなわち、ＣＳＩ端末４０４は、ＣＳ呼によってリアルタイムサービスを開始し、ＣＳ呼のための制御信号はＣＳ/ＩＭＳインターワーキング(interworking)によって第２のネットワークの第２のＩＭＳドメインでＩＭＳセッションに変換される。ＣＳＩ端末４０４が組合せサービスのための呼を開始する場合に、ＣＳＩ端末４０４は、ＣＳ呼及びＩＭＳセッションを別途に開始し、ＣＳ呼及びＩＭＳセッションの要求を含む制御信号は各々の経路４２４，４２６を通じてＩＭＳ端末４１６に伝達される。
【００２４】
しかしながら、ＩＭＳ端末４１６から開始された呼の場合には制御信号の接続に問題が発生する可能性がある。ＩＭＳ端末４１６がリアルタイムサービスのためのＳＩＰメッセージをＣＳＩ端末４０４に向けて送信する場合に、ＳＩＰメッセージは、ＣＳＩ端末４０４が登録されている第１のＩＭＳドメインに最初に伝達される。通常に、ＳＩＰメッセージは、ＩＭＳ呼の設定のために、第１のＰＳドメインを介してＣＳＩ端末４０４に伝達される。すなわち、ＣＳＩ端末４０４がリアルタイムサービスのためにＣＳ呼の代わりに無条件ＰＳ呼を使用する。この場合、ＰＳ呼がリアルタイムサービスを完全に支援しないと、通話品質が劣化する。また、ＩＭＳ端末４１６が組合せサービスを始めるためのＳＩＰメッセージをＣＳＩ端末４０４に送信する場合にも同じ問題が発生する。
【００２５】
本発明は、ＣＳＩ端末４０４がリアルタイムサービスのためにＣＳドメイン４０８を使用できるように、ＩＭＳドメインを介して受信された呼要求を適切に処理して呼を設定する方法を提供する。
【００２６】
図５は、本発明により、リアルタイムサービスと非リアルタイムサービスがＣＳＩ端末で受信されるドメインを判定する動作を示す。ＣＳＩ端末は、ステップ５０２で、ＩＭＳドメインに登録する際に、第３世代(３Ｇ)移動通信システムでＩＭＳドメインのＡＳに第三者(3rd  party)登録を遂行する。ＣＳＩ端末は、ステップ５０４でＩＭＳドメインを介して呼要求が受信されると、ステップ５０６で、呼要求によって指示されるサービスがリアルタイムサービスを含むか否かを判定する。
【００２７】
上記サービスがリアルタイムサービスを含んでいない場合に、ＣＳＩ端末は、ステップ５１２で、ＩＭＳ端末と既存の方式によるＩＭＳセッションの設定を遂行する。一方、上記サービスがリアルタイムサービスを含んでいる場合に、ＣＳＩ端末は、ステップ５０８で、ネットワークの状況を考慮してリアルタイムサービスのためにＣＳドメインを使用するか否かを判定する。ネットワークの状況は、ＣＳＩ端末がリアルタイムサービスのために現在ネットワークでＣＳドメインを使用可能であるか否かを確認することによって判定される。例えば、ＣＳＩ端末が、ＰＳ呼のみを使用することができるネットワークに位置している場合に、リアルタイムサービスもＩＭＳセッションを使用しなければならない。ＣＳＩ端末がＣＳ呼を使用できるネットワークに位置する場合に、リアルタイムサービスのためにＣＳ呼を利用することができる。また、ＣＳＩ端末がリアルタイムサービスのためにＣＳ呼を好むにしても、ＣＳＩ端末の選好度が端末あるいはネットワークの状況により変わることができる。したがって、上記判定の際に、ＣＳドメインに対するＣＳＩ端末の選好度が考慮されることができる。
【００２８】
更に図５を参照すると、リアルタイムサービスのためにＣＳドメインを使用しない場合に、ＣＳＩ端末は、ステップ５１２で、ＩＭＳ端末の呼要求に対してＩＭＳセッションを使用することに決定する。一方、リアルタイムサービスのためにＣＳドメインを使用する場合に、ＣＳＩ端末は、ステップ５１０で、リアルタイムサービスのためにＣＳ呼を使用するように決定する。上記サービスがリアルタイムサービスだけでなく非リアルタイムサービスを含む場合に、ＣＳＩ端末は、ステップ５１０で非リアルタイムサービスのためにＩＭＳセッションを使用するように決定する。
【００２９】
上記のように、ＩＭＳドメインを介して受信された呼要求によって示されるサービスの種類に従って、ＣＳ呼またはＩＭＳセッションを使用するために、本発明の実施形態を次に説明する。
【００３０】
ＣＳＩ端末は、リアルタイムサービスのためにＣＳ呼要求を生成してＩＭＳドメインのＡＳに送信する。また、ＣＳＩ端末は、非リアルタイムサービスのためにＩＭＳ端末のＩＭＳセッション要求に対してＩＭＳセッション応答を送信する。ＡＳは、ＩＭＳ端末に応答してＩＭＳセッション応答と組合(association)してＣＳ呼要求を送信し、それによって呼設定を完了する。本発明は、３つの方式の組合せを提案する。また、本発明は、組合せのためにＡＳがＣＳＩ端末に自分の電話番号を示すＭＳＩＳＤＮ(Mobile Station Integrated Services Digital Network number)を送信し、ＡＳによって、ＣＳ呼要求とＩＭＳセッション応答がＩＭＳ端末の呼要求に関連したことをＭＳＩＳＤＮから識別する方法を提案する。
【００３１】
図６Ａ及び図６Ｂは、本発明により、ＣＳＩ端末及びＡＳの動作を示す。
【００３２】
図６Ａを参照すると、ＣＳＩ端末は、ステップ６０２で、ＩＭＳドメインのＡＳから受信されたＩＭＳ端末の呼要求によって示されるサービスに含まれたリアルタイムサービスのためにＣＳ呼を使用することを示すＣＳＩインジケータを生成する。呼要求によって示される非リアルタイムサービスに対してＩＭＳセッションを使用するために、ＣＳＩ端末は、ステップ６０４で、ＩＭＳセッション応答に設定されるＳＤＰ(Session  Description  Protocol)パラメータのうち、リアルタイムサービス関連部分を非活性化(deactivate)する。ＳＤＰは、マルチメディアサービス情報を交換するために使用されるプロトコルである。ステップ６０２，６０４は同時に遂行されることができ、その時間的なシーケンスは、図６Ａに示す手順に制限されることではない。
【００３３】
ＣＳＩ端末は、ステップ６０６で、ＣＳＩインジケータをＩＭＳセッション応答に含んでＡＳに送る。ＣＳＩ端末は、ステップ６０８で、リアルタイムサービスのためのＣＳ呼要求を生成してＡＳに送る。ＡＳのＭＳＩＳＤＮは、ＡＳにＣＳ呼要求を伝送するために要求される。ＭＳＩＳＤＮは電話番号であり、ＣＳ呼を開始するために要求される要素である。ＡＳのＭＳＩＳＤＮは、２つの方式でＣＳＩ端末に知らせることができる。一つは、ＣＳＩ端末のネットワーク登録時又は登録後に、ＡＳがＣＳＩ端末にＭＳＩＳＤＮを表すメッセージを送信することである。他の一つは、ＡＳがＩＭＳ端末からの呼要求とＭＳＩＳＤＮを組み合わせてＣＳＩ端末に送信することである。
【００３４】
図６Ｂを参照すると、ＡＳは、ステップ６１０で、ＣＳＩ端末からＩＭＳセッション応答を受信し、ステップ６１２で、ＩＭＳセッション応答に含まれたＣＳＩインジケータからＣＳ呼要求がＣＳＩ端末から受信されることを認識する。ステップ６１４で、ＣＳドメインを介してＣＳＩ端末からリアルタイムサービスのためのＣＳ呼要求を受信すると、ＡＳは、ステップ６１６でＩＭＳセッション応答をＣＳ呼要求とを組み合わせてメッセージを生成し、ステップ６１８でＩＭＳ端末の呼要求に対する応答として上記組合せメッセージをＩＭＳ端末に送信する。
【００３５】
上記組合せに対して、ＡＳは、ＩＭＳセッション応答とＣＳ呼要求がＩＭＳ端末の呼要求に対する応答であることを識別しなければならない。本発明において、ＣＳＩ端末からＡＳに送信するメッセージ(ＩＭＳセッション応答またはＣＳ呼要求)は、メッセージに含まれた“Ｆｒｏｍ,Ｒｅｑｕｅｓｔ  ＵＲＩ(Universal  Resource  Identifier)”のようなＩＥ(Information Element)によってＩＭＳ端末の呼要求に対する応答であることを確認する。この実施形態は、ＡＳによってＣＳＩ端末に自分のＭＳＩＳＤＮを知らせるための方法とともに、図７Ａ乃至図９Ｂを参照して説明する。
【００３６】
図７Ａ乃至図９Ｂは、ＡＳによってＣＳＩ端末にＡＳのＭＳＩＳＤＮを知らせ、ＣＳ呼要求とＩＭＳセッション応答を組み合わせる方式によって、ＩＭＳ端末から受信された音声通話を始めるためにＳＩＰ基盤の呼要求、すなわちＩＮＶＩＴＥメッセージを送信する場合の制御フローを示す。
【００３７】
図７Ａ及び図７Ｂは、本発明により、ＡＳが固有の単独メッセージ又はＣＳＩ端末の登録のために使用される登録メッセージによってＭＳＩＳＤＮをＣＳＩ端末に伝送し、Ｓ-ＣＳＣＦから受信されたＣＳＩ端末の識別(identity)情報を応答メッセージを確認するために使用する場合の制御フローを示す。ＣＳＩ端末は、ステップ７２０で、ＩＭＳドメインに対して第三者登録を遂行する。ＡＳは、ステップ７２２で、ＣＳＩ端末の登録を確認し、ＳＵＢＳＣＲＩＢＥメッセージによってＣＳＩ端末の識別情報に関する第１のＳ-ＣＳＣＦを要求する。第１のＳ-ＣＳＣＦは、ステップ７２４で、ＮＯＴＩＦＹメッセージによってＣＳＩ端末の識別情報をＡＳに送信する。ＣＳＩ端末の識別情報は、ＣＳＩ端末を示すすべての識別子を含み、各エンティティによって伝送あるいは変更されるＣＳＩ端末の識別子をすべて含む。図７Ａ及び図７Ｂに示す手順で、特定イベントに対する内容を要求及び伝送するためのＳＩＰメッセージとしてＳＵＢＳＣＲＩＢＥ及びＮＯＴＩＦＹを示し、他のメッセージに代替することができる。
【００３８】
ＡＳは、ステップ７２６でＣＳＩ端末の識別情報を格納し、ステップ７２８でＡＳのＭＳＩＳＤＮ(“ＡＳ-ＭＳＩＳＤＮ”と称する）をＣＳＩ端末に送信する。ＡＳ-ＭＳＩＳＤＮは、この手順でＳＩＰ方法の一つであるＭＥＳＳＡＧＥによって伝達されるが、他のメッセージをその代わりに使用することができる。また、ＡＳ-ＭＳＩＳＤＮは、上述した方法だけでなく、変形された実施形態として第三者の登録中に発生したメッセージの一つによってＣＳＩ端末に送信されることができる。
【００３９】
本発明は、ＣＳＩサービスで、ＣＳ呼を使用するリアルタイムサービスの代表的な例として音声通話サービスを、ＩＭＳセッションを用いる非リアルタイムサービスの代表的な例としてＭＳＲＰ(Message  Session  Relay  Protocol)に基づいたメッセージングサービスについて説明する。これら例は、説明の便宜のためのもので、他の多様なサービスが適用されることができる。
【００４０】
更に図７Ａ及び図７Ｂを参照すると、ステップ７３２，７３４で、ＩＭＳ端末から音声通話サービスとＭＳＲＰサービスに対する呼要求を含むＩＮＶＩＴＥメッセージとＩＭＳ端末からＳ-ＣＳＣＦ２を経てＣＳＩ端末が登録された第１のＳ-ＣＳＣＦに受信されると、第１のＳ-ＣＳＣＦは、ステップ７３６でＩＮＶＩＴＥメッセージをＣＳＩ端末に対するフィルタ条件によって評価する。ステップ７３８で、ＩＮＶＩＴＥメッセージをＡＳに送信する。ＡＳは、ステップ７４０で、以後の組合せのためにＩＮＶＩＴＥメッセージのソース及びあて先(destination)に関する情報を格納し、ステップ７４２，７４４でＣＳＩ端末にこのＩＮＶＩＴＥメッセージを送信する。
【００４１】
ＣＳＩ端末は、ＩＮＶＩＴＥメッセージに音声通話サービスの要求が含まれているかを確認し、音声サービスに対してＣＳ呼を使用するように決定する。ＩＮＶＩＴＥメッセージにＭＳＲＰサービスに対する要求が含まれた場合には、ＭＳＲＰサービスに対してＩＭＳセッションを使用するように決定する。すると、ＣＳＩ端末は、ＳＤＰパラメータのうちの音声サービス関連部分を表すポートを０に設定し、音声通話サービスがＩＭＳセッションによって提供されないことを表す。ＳＤＰパラメータは、ＩＮＶＩＴＥメッセージに応答して１８３メッセージに含まれることができる。また、ＣＳＩ端末は、音声通話サービスのためにＣＳ呼要求の伝送を示すＣＳＩインジケータ(indicator-csi)を１８３メッセージに含む。情報フィールドが１８３メッセージのヘッダーに含まれると、“Ｆｒｏｍ”及び“Ｔｏ”は、ＩＭＳ端末のＳＩＰ  ＵＲＩに、ＣＳＩ端末のＳＩＰ  ＵＲＩに各々設定する。このように構成された１８３メッセージは、ステップ７４６，７４８で第１のＳ-ＣＳＣＦを通じてＡＳに送信される。
【００４２】
ＡＳは、ステッ７５０で、１８３メッセージに含まれたＣＳＩインジケータに応答して音声通話サービスのためのＣＳ呼要求が受信されるまで待機する。一方、ＣＳＩ端末は、１８３メッセージの送信以後に、ＩＮＶＩＴＥメッセージによって示される音声通話サービスに対するＣＳ呼を要求するためのＳＥＴＵＰメッセージを生成する。ＳＥＴＵＰメッセージは、ソース情報としてＣＳＩ端末のＭＳＩＳＤＮに設定し、あて先情報としてＡＳ-ＭＳＩＳＤＮに設定される。ＭＳＣは、ステップ７５４で、上記ＳＥＴＵＰメッセージをＩＡＭ(Initial Address Message)に変換してＭＧＣＦに送信する。ＩＡＭメッセージのソース及びあて先情報は、ＳＥＴＵＰメッセージと同一である。
【００４３】
ＭＧＣＦは、ステップ７５６で、ＩＡＭメッセージをＩＮＶＩＴＥメッセージに変換してＡＳに送信する。ＩＮＶＩＴＥメッセージは、音声通話サービスのためのものである。このＩＡＭメッセージのソース情報は、ＩＮＶＩＴＥメッセージの“Ｐ-Ａｓｓｅｒｔｅｄ-Ｉｄｅｎｔｉｔｙ，Ｐｒｉｖａｃｙ，Ｆｒｏｍ”にマッピングされ、ＩＮＶＩＴＥメッセージのあて先情報は“Ｒｅｑｕｅｓｔ-ＵＲＩ(又はＲｅｑｕｅｓｔ  ＵＲＩ),Ｔｏ”にマッピングされることができる。“Ｐ-Ａｓｓｅｒｔｅｄ-Ｉｄｅｎｔｉｔｙ”はＣＳＩ端末の確認された識別情報を表し、“Ｐｒｉｖａｃｙ”はＣＳＩ端末の個人情報を表し、“Ｒｅｑｕｅｓｔ-ＵＲＩ”はＩＮＶＩＴＥメッセージのルーティング情報を表す。本発明では、ＩＡＭメッセージのソース情報及びあて先情報は、各々“Ｆｒｏｍ”及び“Ｒｅｑｕｅｓｔ  ＵＲＩ”にマッピングされることを説明する。ＩＡＭメッセージのソース情報及びあて先情報は、ＩＮＶＩＴＥメッセージの他の構成要素にもマッピング可能である。本発明において、ＭＧＣＦがＡＳに送信するＩＮＶＩＴＥメッセージにおいて、“Ｆｒｏｍ”はＣＳＩ端末のＴＥＬ  ＵＲＩに設定され、“Ｒｅｑｕｅｓｔ  ＵＲＩ”はＡＳのＴＥＬ  ＵＲＩに設定される。他の実施形態として、ＴＥＬ  ＵＲＩはＳＩＰ  ＵＲＩに代替することもさらに考えられる。
【００４４】
ＡＳは、ステップ７５８で、ステップ７４８で受信された１８３メッセージをステップ７５６で受信されたＩＮＶＩＴＥメッセージとの組合せによって組合せ１８３メッセージを生成する。ＡＳは、１８３メッセージの“Ｔｏ”ヘッダーに記録されたＣＳＩ端末のＳＩＰ  ＵＲＩから１８３メッセージがＩＭＳ端末の呼要求に対する応答であることを識別し、ＩＮＶＩＴＥメッセージの“Ｆｒｏｍ”ヘッダーに設定されたＣＳＩ端末のＴＥＬ  ＵＲＩから、ＴＥＬ  ＵＲＩがＩＮＶＩＴＥメッセージがステップ７２６で格納されたＣＳＩ端末の識別情報のうちの一つであるため、ＩＮＶＩＴＥメッセージもＩＭＳ端末の呼要求に対する応答であることを識別することができる。すなわち、ＡＳは、１８３メッセージに含まれたＣＳＩ端末のＳＩＰ  ＵＲＩ及びＩＮＶＩＴＥメッセージに含まれたＣＳＩ端末のＴＥＬ  ＵＲＩによって、２つのメッセージがＩＭＳ端末の呼要求に対する応答であることを確認し、１８３メッセージをＩＮＶＩＴＥメッセージと組み合わせる。
【００４５】
ＡＳは、ステップ７６０で、組合せ１８３メッセージを第１のＳ-ＣＳＣＦに送信し、ステップ７６２及び７６４で上記組合せ１８３メッセージを第２のＳ-ＣＳＣＦを通じてＩＭＳ端末に送信する。ＡＳは、ステップ７６６で、必要によってメディア交渉を追加して遂行する。メディア交渉が完了すると、ＡＳは、ステップ７６８，７７０，７７２で、ＣＳＩ端末のＣＳ呼要求の完了を示す応答メッセージである２００ＯＫ、ＡＣＭ(Address Complete Message)、及びＣＯＮＮＥＣＴを、各々ＭＧＣＦ、ＭＳＣ、及びＣＳＩ端末に送信する。ＣＯＮＮＥＣＴメッセージを受信すると、ＣＳＩ端末は、ステップ７７４でＭＳＲＰサービスのための設定完了を示す２００ＯＫメッセージを第１のＳ-ＣＳＣＦに送信する。第１のＳ-ＣＳＣＦは、ステップ７７６で２００ＯＫメッセージをＡＳに送信する。ステップ７７８，７８０，７８２で、ＡＳは、ステップ７６８を参照して、音声通話サービス及びＭＳＲＰサービスの呼設定が完了したことを知らせる２００ＯＫメッセージをＣＳＩ端末に送信する。このように、音声呼及びＭＳＲＰ呼の設定が完了する。
【００４６】
図８Ａ及び図８Ｂは、本発明により、ＡＳが単独メッセージ又は登録メッセージによってそのＭＳＩＳＤＮをＣＳＩ端末に送信し、ＡＳがＣＳＩ端末に送信された疑似番号(pseudo  number)を応答メッセージの識別時に使用する場合の制御フローを示す。
【００４７】
図８Ａ及び図８Ｂを参照すると、ＣＳＩ端末は、ステップ８２０でＩＭＳドメインに第三者登録を遂行する。ＡＳは、ステップ８２２で、上述したようにＡＳのＭＳＩＳＤＮをＣＳＩ端末に伝送する。
【００４８】
ステップ８２６，８２８で、ＩＭＳ端末から音声サービス及びＭＳＲＰサービスに対する呼要求を含むＩＮＶＩＴＥメッセージを受信すると、第１のＳ-ＣＳＣＦはステップ８３０でＣＳＩ端末に対して設定されたフィルタ条件に基づいてＩＮＶＩＴＥメッセージを評価し、ステップ８３２で上記ＩＮＶＩＴＥメッセージをＡＳに送信する。ＡＳは、ステップ８３４で、以後の組合せのためにＩＮＶＩＴＥメッセージのソース及びあて先に関する情報を格納し、ＩＮＶＩＴＥメッセージにＡＳによってランダムに生成された疑似番号を含む。ステップ８３６、８３８で、疑似番号の含まれたＩＮＶＩＴＥメッセージは、第１のＳ-ＣＳＣＦを通じてＣＳＩ端末に送信される。それによって、ＡＳは、ＣＳＩ端末から受信された音声サービスのためのメッセージがＩＭＳ端末の呼要求に対する応答であることを疑似番号から識別可能になる。
【００４９】
ＩＮＶＩＴＥメッセージが音声サービスのための要求を含むことを確認すると、ＣＳＩ端末は、音声サービスに対してＣＳ呼を使用するように決定する。ＩＮＶＩＴＥメッセージがＭＳＲＰサービスを示すと、ＭＳＲＰサービスのためにＩＭＳセッションを使用するように決定する。すると、ＣＳＩ端末は、音声サービスがＩＭＳセッションによって提供されないことを示すように、ＳＤＰパラメータの音声サービス関連部分を示すポートを０に設定する。ＳＤＰパラメータは、ＩＮＶＩＴＥメッセージに応答して１８３メッセージに含まれる。上記したように、ＣＳＩ端末は、１８３メッセージにＣＳＩインジケータを含み、“Ｆｒｏｍ”及び“Ｔｏ“は１８３メッセージのヘッダーに、各々ＩＭＳ端末のＳＩＰ  ＵＲＩに、ＣＳＩ端末のＳＩＰ  ＵＲＩに設定される。ＣＳＩ端末は、ステップ８４０でこの１８３メッセージを第１のＳ-ＣＳＤＦに送信し、第１のＳ-ＣＳＣＦは、ステップ８４２でこの１８３メッセージをＡＳに伝達する。
【００５０】
ステップ８４４で、ＡＳは、１８３メッセージに設定されたＣＳＩインジケータに応答して、音声サービスのためのＣＳ呼要求の受信を待機する。一方、ＣＳＩ端末は、１８３メッセージを送信した後に、ＩＮＶＩＴＥメッセージによって示される音声通話サービスに対するＣＳ呼要求のためのＳＥＴＵＰメッセージを生成する。ＳＥＴＵＰメッセージは、ソース情報としてＣＳＩ端末のＭＳＩＳＤＮに設定され、あて先情報としてＡＳ-ＭＳＩＳＤＮに設定される。ＣＳＩ端末は、ステップ８３８で受信された疑似番号をＳＥＴＵＰメッセージに含む。ここで、疑似番号は、発信側番号、または受信側番号、あるいは他のパラメータ又は他のパラメータの一部としてＳＥＴＵＰメッセージに含まれる。ＭＧＣＦがＳＥＴＵＰメッセージをＩＮＶＩＴＥメッセージに変換する場合に、疑似番号は、ＩＮＶＩＴＥメッセージ、具体的にはＩＮＶＩＴＥメッセージのヘッダー、ヘッダーのパラメータ、又はＳＤＰパラメータに含まれることができる。
【００５１】
このように設定されたＳＥＴＵＰメッセージは、ステップ８４６で、ＣＳドメインのＭＳＣに伝送される。ＭＳＣは、ステップ８４８で、ＳＥＴＵＰメッセージをＩＡＭメッセージに変換してＭＧＣＦに送信する。ＩＡＭメッセージのソース及びあて先情報は、ＳＥＴＵＰメッセージと同一である。ステップ８５０で、ＭＧＣＦは、ＩＡＭメッセージをＩＮＶＩＴＥメッセージに変換してＡＳに伝送する。このように、疑似番号はＩＮＶＩＴＥメッセージに含まれる。
【００５２】
ＩＮＶＩＴＥメッセージは、音声サービスのためのものである。ＩＡＭメッセージとＩＮＶＩＴＥメッセージとの間にマッピングされるソース及びあて先情報は、図７を参照して説明したので、ここではその説明を省略する。本発明によれば、ＭＧＣＦがＡＳに送信するＩＮＶＩＴＥメッセージにおいて、“Ｆｒｏｍ”及び“Ｒｅｑｕｅｓｔ  ＵＲＩ”は、ＣＳＩ端末のＴＥＬ  ＵＲＩ及びＡＳのＴＥＬ  ＵＲＩに各々設定される。ＴＥＬ  ＵＲＩは、図７を参照して説明したように、ＳＩＰ  ＵＲＩに代替することができる。
【００５３】
ステップ８５２で、ＡＳは、ステップ８４０で受信された１８３メッセージとステップ８５０で受信されたＩＮＶＩＴＥメッセージとを組み合わせて組合せ１８３メッセージを生成する。ＡＳは、１８３メッセージの“Ｔｏ”ヘッダーに記録されたＣＳＩ端末のＳＩＰ  ＵＲＩから、１８３メッセージがＩＭＳ端末の呼要求に対する応答であることを識別することができ、ＩＮＶＩＴＥメッセージ内に設定された疑似番号からＩＮＶＩＴＥメッセージもＩＭＳ端末の呼要求に対する応答であることを識別することができる。
【００５４】
ステップ８５４乃至８７６で、音声呼及びＭＳＲＰ呼の設定は、図７と同様に遂行される。
【００５５】
図９Ａ及び図９Ｂは、本発明により、ＡＳがＩＭＳ端末の呼要求をＣＳＩ端末に送信する場合に、呼要求にＡＳ-ＭＳＩＳＤＮを含み、ＡＳ-ＭＳＩＳＤＮを用いてＣＳＩ端末から応答メッセージを確認する場合の制御フローを示す。ＣＳＩ端末は、通常の方法でＡＳに登録されるので、ここではその説明を省略する。
【００５６】
図９Ａ及び図９Ｂを参照すると、ステップ９１８，９２０で第２のＳ-ＣＳＣＦを通じてＩＭＳ端末から音声サービス及びＭＳＲＰサービスのための呼要求を含むＩＮＶＩＴＥメッセージを受信すると、第１のＳ-ＣＳＣＦは、ステップ９２２のＣＳＩ端末のために設定されたフィルタ条件に基づいてＩＮＶＩＴＥメッセージを評価してＡＳに送信する。ＡＳは、ステップ９２６で、以後の組合せのためのＩＮＶＩＥメッセージのソース及びあて先に関する情報を格納し、ＩＮＶＩＴＥメッセージにＡＳ-ＭＳＩＳＤＮを含む。このＡＳ-ＭＳＩＳＤＮは、ＡＳの複数のＡＳ-ＭＳＩＳＤＮのうちの一つである。したがって、ＡＳ-ＭＳＩＳＤＮは、ＣＳＩ端末を識別するのに使用される。ステップ９２８，９３０で、ＩＮＶＩＥメッセージは、第１のＳ-ＣＳＣＦを通じてＣＳＩ端末に送信される。
【００５７】
ＣＳＩ端末は、ＩＮＶＩＴＥメッセージが音声サービスの要求を含むことを確認し、音声サービスに対してＣＳ呼を使用するように決定し、ＩＮＶＩＴＥメッセージがＭＳＲＰサービスを示す場合にはＭＳＲＰサービスのためにＩＭＳセッションを使用するように決定する。そのため、ＣＳＩ端末は、ＩＭＳセッションによって提供されない音声サービスを表すように、ＳＤＰパラメータの音声サービス関連部分を示すポートを‘０’に設定する。ＳＤＰパラメータは、ＩＮＶＩＴＥメッセージに応答して１８３メッセージに含められる。上記したように、ＣＳＩ端末は、１８３メッセージでＣＳＩインジケータを含み、“Ｆｒｏｍ”及び“Ｔｏ”は、１８３メッセージのヘッダーに、ＩＭＳ端末のＳＩＰ  ＵＲＩ及びＣＳＩ端末のＳＩＰ  ＵＲＩに各々設定される。ＣＳＩ端末は、ステップ９３２で第１のＳ-ＣＳＣＦに１８３メッセージを送信し、第１のＳ-ＣＳＣＦは、ステップ９３４でＡＳに１８３メッセージを伝達する。
【００５８】
ＡＳは、ステップ９３６で、１８３メッセージに設定されたＣＳＩインジケータに応答して、音声サービスのためのＣＳ呼要求の受信を待機する。一方、ＣＳＩ端末は、１８３メッセージを送信した後に、ＩＮＶＩＴＥメッセージによって示される音声通話サービスに対するＣＳ呼要求のためのＳＥＴＵＰメッセージを生成する。ＳＥＴＵＰメッセージは、ソース情報としてＣＳＩ端末のＭＳＩＳＤＮに設定され、あて先情報としてＡＳ-ＭＳＩＳＤＮに設定される。ステップ９３８で、このように設定されたＳＥＴＵＰメッセージは、ＣＳドメインのＭＳＣに送信される。ＭＳＣは、ステップ９４０で、ＳＥＴＵＰメッセージをＩＡＭメッセージに変換してＭＧＣＦに送信する。ＩＡＭメッセージのソース及びあて先情報は、ＳＥＴＵＰメッセージと同一である。ステップ９４２で、ＭＧＣＦは、ＩＡＭメッセージをＩＮＶＩＴＥメッセージに変換してＡＳに伝送する。
【００５９】
ＩＮＶＩＴＥメッセージは、音声サービスのためのものである。ＩＡＭメッセージとＩＮＶＩＴＥメッセージとの間にマッピングされるソースとあて先情報は、図７を参照して説明したため、ここではその説明を省略する。本発明によれば、“Ｆｒｏｍ”及び“Ｒｅｑｕｅｓｔ  ＵＲＩ”は、ＭＧＣＦがＡＳに送信するＩＮＶＩＴＥメッセージで、ＣＳＩ端末のＴＥＬ  ＵＲＩ及びＡＳのＴＥＬ  ＵＲＩに各々設定される。これらＴＥＬ  ＵＲＩは、図７を参照して説明したように、ＳＩＰ  ＵＲＩに代替することができる。
【００６０】
ＡＳは、ステップ９４４で、ステップ９３２で受信された１８３メッセージとステップ９４２で受信されたＩＮＶＩＴＥメッセージを組み合わせて組合せ１８３メッセージを生成する。ＡＳは、１８３メッセージの“Ｔｏ”ヘッダーに記録されたＣＳＩ端末のＳＩＰ  ＵＲＩから、１８３メッセージがＩＭＳ端末の呼要求に対する応答であることを識別し、ＩＮＶＩＴＥメッセージに設定されたＡＳのＴＥＬ  ＵＲＩ(すなわち、ＡＳ-ＭＳＩＳＤＮ)から、ＩＮＶＩＴＥメッセージもＩＭＳ端末の呼要求に対する応答であることを識別することができる。
【００６１】
ステップ９４６乃至９６８で、音声呼及びＭＳＲＰ呼の設定は、図７及び図８の手順と同様に遂行される。
【００６２】
ここで使用されるＩＭＳセッションに関連した制御メッセージであるＩＮＶＩＴＥ、１８３、２００ＯＫとＣＳ呼に関連した制御メッセージであるＳＥＴＵＰ、ＩＡＭ、ＡＣＭ、ＣＯＮＮＥＣＴは、類似した機能を有する他のメッセージに代替及び変更が可能である。また、サービス供給者からの課金のような問題に基づいてメッセージの伝送順序/時間が変わることができる。例えば、ステップ７６８，８６２，９５４で２００ＯＫメッセージは、ステップ７７８，８７２，９６４の２００ＯＫメッセージ以後に送信されることができる。
【００６３】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００６４】
【図１】従来技術によるＣＳＩサービスを支援する移動通信ネットワークの構成を示す図である。
【図２】従来技術によりＣＳＩ端末間の制御信号のフローを示す図である。
【図３】本発明により、ＣＳＩ端末がＩＭＳドメインを介してリアルタイムサービスを受信する場合に、ＣＳＩ端末とＩＭＳ端末との間の制御信号のフローを示す図である。
【図４】本発明により、ＣＳＩ端末がリアルタイムサービスをＣＳドメインを介して受信する場合に、ＣＳＩ端末とＩＭＳ端末との間の制御信号のフローを示す図である。
【図５】本発明により、ＣＳＩ端末がリアルタイムサービスと非リアルタイムサービスを受信するために使用されるドメインを判定する動作を示すフローチャートである。
【図６Ａ】本発明によるＣＳＩ端末の動作を示すフローチャートである。
【図６Ｂ】本発明によるＡＳの動作を示すフローチャートである。
【図７Ａ】本発明により、ＡＳが単独メッセージ又は登録メッセージによってＡＳのＭＳＩＳＤＮをＣＳＩ端末に送信し、Ｓ-ＣＳＣＦから受信されたＣＳＩ端末の識別情報を応答メッセージを識別するのに使用される場合の制御フローを示す図である。
【図７Ｂ】本発明により、ＡＳが単独メッセージ又は登録メッセージによってＡＳのＭＳＩＳＤＮをＣＳＩ端末に送信し、Ｓ-ＣＳＣＦから受信されたＣＳＩ端末の識別情報を応答メッセージを識別するのに使用される場合の制御フローを示す図である。
【図８Ａ】本発明により、ＡＳが単独メッセージ又は登録メッセージによってＡＳのＭＳＩＳＤＮをＣＳＩ端末に送信し、Ｓ-ＣＳＣＦがＣＳＩ端末に送信した疑似番号を応答メッセージを識別するのに使用される場合の制御フローを示す図である。
【図８Ｂ】本発明により、ＡＳが単独メッセージ又は登録メッセージによってＡＳのＭＳＩＳＤＮをＣＳＩ端末に送信し、Ｓ-ＣＳＣＦがＣＳＩ端末に送信した疑似番号を応答メッセージを識別するのに使用される場合の制御フローを示す図である。
【図９Ａ】本発明により、ＡＳがＩＭＳ端末の呼要求をＣＳＩ端末に送信する場合に、ＡＳのＭＳＩＳＤＮを含み、上記ＭＳＩＳＤＮを応答メッセージを識別するのに使用される場合の制御フローを示す図である。
【図９Ｂ】本発明により、ＡＳがＩＭＳ端末の呼要求をＣＳＩ端末に送信する場合に、ＡＳのＭＳＩＳＤＮを含み、上記ＭＳＩＳＤＮを応答メッセージを識別するのに使用される場合の制御フローを示す図である。
【符号の説明】
【００６５】
３０２  第１のネットワーク
３０４  ＣＳＩ端末
３０６  第１のＰＳドメイン
３０８  ＣＳドメイン
３１２  第１のＩＭＳドメイン
３１４  第２のネットワーク
３１６  ＩＭＳ端末
３１８  ＩＰ-ＣＡＮ
３２０  第２のＩＭＳドメイン
３２２，３２４  経路
【図１】
2009524342.tif 000003
【図２】
2009524342.tif 000004
【図３】
2009524342.tif 000005
【図４】
2009524342.tif 000006
【図５】
2009524342.tif 000007
【図６Ａ】
2009524342.tif 000008
【図６Ｂ】
2009524342.tif 000009
【図７Ａ】
2009524342.tif 000010
【図７Ｂ】
2009524342.tif 000011
【図８Ａ】
2009524342.tif 000012
【図８Ｂ】
2009524342.tif 000013
【図９Ａ】
2009524342.tif 000014
【図９Ｂ】
2009524342.tif 000015
【国際調査報告】
2009524342.tif 000016